(57)【要約】【課題】不慣れなユーザでも手差しトレイで使用されるシートのパラメータを容易に設定できる画像形成装置を提供する。【解決手段】手差しトレイへシートがセットされた場合に、セットされたシートのパラメータ（サイズ、種類）を設定するための操作手順の音声ガイダンスを音声ガイダンス部３０から出力する。ユーザは、この音声ガイダンスとＬＣＤパネル１０ｃに表示される操作情報とに応じて、カーソルキー１０ａとタッチスクリーンに表示されるソフトキーとを操作しながら、シートのパラメータを設定する。【選択図】図１
2007298865.tif 000002
【特許請求の範囲】
【請求項１】
画像が形成されるシートを自動供給する自動供給部と、画像が形成されるシートを手差しで供給する手差し供給部と、操作の手順を音声出力する音声案内手段とを備え、前記自動供給部または手差し供給部の選択が可能な画像形成装置において、
前記手差し供給部の選択及び前記手差し供給部にセットするシートのパラメータの設定を受け付ける受付手段と、前記パラメータの設定における操作の手順を前記音声案内手段が音声出力するように制御する制御手段とを備えることを特徴とする画像形成装置。
【請求項２】
前記受付手段は、入力操作を受け付ける操作キーと、該操作キーへの入力に連動して操作情報を表示する表示手段とを有することを特徴とする請求項１記載の画像形成装置。
【請求項３】
前記手差し供給部におけるシートの有無を検出する検出手段を備えており、前記手差し供給部にシートがなくなった場合に、前記制御手段は、前記音声案内手段が音声出力するように制御すべくなしたことを特徴とする請求項１または２記載の画像形成装置。
【発明の詳細な説明】
【技術分野】
【０００１】
本発明は、シートに画像を形成する画像形成装置に関し、特に、各種の操作の手順を音声出力する音声案内手段を備えた画像形成装置に関する。
【背景技術】
【０００２】
ファクシミリ装置、コピー機、プリンタ、またはこれらの機能を併せ持つ複合機などの画像形成装置にあって、ユーザの利便性を向上するために、画像が形成されるシートの設定操作の手順を音声出力する案内機能（ガイダンス機能）を有するものが知られている（特許文献１など）。このような画像形成装置には、画像が形成されるシートを自動供給する給紙カセット（自動供給部）に加えて、画像が形成されるシートを手差しで供給する手差しトレイ（手差し供給部）が一般的に設けられているが、この手差しトレイにセットされたシートのサイズを自動的に検知して、その検知結果を音声にてユーザに報知する技術も提案されている（特許文献２など）。
【特許文献１】特開２００３−３１６５６４号公報
【特許文献２】特開２００４−１０３１５号公報
【発明の開示】
【発明が解決しようとする課題】
【０００３】
特許文献２のように、手差しトレイにセットされたシートのサイズを自動的に検知するタイプでなく、手差しトレイにセットされるシートのサイズをユーザの操作入力にて設定して記憶するタイプの画像形成装置も存在する。このようなタイプの画像形成装置にあっては、手差しトレイを用いてシートに記録処理を行う場合には、そのシートのサイズ、種類を設定しておかなければならないが、不慣れなユーザはその設定の操作に手間取るという問題がある。また、手差しトレイのシートがなくなった場合には、サイズまたは種類が異なったシートが手差しトレイにセットされるときもあり、そのときにはシートのサイズ、種類を設定し直さなければならず、このときにも不慣れなユーザは操作に手間取ってしまう。
【０００４】
本発明は斯かる事情に鑑みてなされたものであり、手差しトレイで使用されるシートのサイズ、種類などのパラメータの設定の操作手順を音声でガイダンスすることにより、不慣れなユーザでもシートのパラメータを容易に設定できる画像形成装置を提供することを目的とする。
【課題を解決するための手段】
【０００５】
本発明に係る画像形成装置は、画像が形成されるシートを自動供給する自動供給部と、画像が形成されるシートを手差しで供給する手差し供給部と、操作の手順を音声出力する音声案内手段とを備え、前記自動供給部または手差し供給部の選択が可能な画像形成装置において、前記手差し供給部の選択及び前記手差し供給部にセットするシートのパラメータの設定を受け付ける受付手段と、前記パラメータの設定における操作の手順を前記音声案内手段が音声出力するように制御する制御手段とを備えることを特徴とする。
【０００６】
本発明の画像形成装置にあっては、手差し供給部（手差しトレイ）にセットされたシートのパラメータ（サイズ、種類など）を設定するための操作の手順を音声案内手段が音声出力する。よって、ユーザは、この音声出力（音声ガイダンス）に応じてシートのパラメータを設定するため、その設定処理を間違いなく容易に行える。
【０００７】
本発明に係る画像形成装置は、前記受付手段が、入力操作を受け付ける操作キーと、該操作キーへの入力に連動して操作情報を表示する表示手段とを有することを特徴とする。      
【０００８】
本発明の画像形成装置にあっては、入力操作を受け付ける操作キーの入力に連動した操作情報を表示手段が表示する。よって、表示手段での表示情報を参照しながら操作キーの操作により、手差し供給部（手差しトレイ）にセットされたシートのパラメータ（サイズ、種類など）が設定されるため、より容易にその設定処理を行える。
【０００９】
本発明に係る画像形成装置は、前記手差し供給部におけるシートの有無を検出する検出手段を備えており、前記手差し供給部にシートがなくなった場合に、前記制御手段は、前記音声案内手段が音声出力するように制御すべくなしたことを特徴とする。
【００１０】
本発明の画像形成装置にあっては、手差し供給部（手差しトレイ）にシートがなくなった場合に、セットされるシートのパラメータ（サイズ、種類など）が変更されることを考慮して、シートのパラメータ（サイズ、種類など）を設定するための操作の手順を音声案内手段が音声出力する。よって、必要なときには必ず、パラメータ設定用の操作手順が音声出力されて、容易にパラメータの設定を行える。
【発明の効果】
【００１１】
本発明の画像形成装置では、手差し供給部（手差しトレイ）にセットされるシートのパラメータの設定における操作の手順を音声ガイダンスするようにしたので、不慣れなユーザにあっても、手間取ることなく迅速にシートのパラメータを設定することができる。
【００１２】
本発明の画像形成装置では、入力操作を受け付ける操作キーの入力に連動した操作情報を表示するようにしたので、ユーザは、表示情報を参照しながら操作キーの操作により、手差し供給部（手差しトレイ）にセットされたシートのパラメータ（サイズ、種類など）を設定していくことが可能となり、より容易にその設定処理を行うことができる。
【００１３】
本発明の画像形成装置では、手差し供給部（手差しトレイ）にシートがなくなった場合に、シートのパラメータ設定の操作手順を音声ガイダンスするようにしたので、シートのパラメータが変更となる場合に確実に音声ガイダンスが出力されることになり、不慣れなユーザでも、迅速にシートのパラメータを設定することができる。
【発明を実施するための最良の形態】
【００１４】
以下、本発明をその実施の形態を示す図面を参照して具体的に説明する。なお、本発明は、以下の実施の形態に限定されるものではない。
【００１５】
図１は、本発明の画像形成装置としての複合機（ファクシミリ複合装置）の構成を示すブロック図であり、図２は、後述する音声ガイダンス部３０の構成を示すブロック図である。複合機は、本来のファクシミリ機能、コピー機能に加えて、外部端末装置からネットワークを介して電子メールを受信する機能、及び、入力した画像データをプリントアウトするプリンタ機能を備えた機能複合型のファクシミリ装置である。
【００１６】
複合機は、ＭＰＵ（Microprocessor Unit)１、ＲＯＭ（Read Only Memory）２、ＲＡＭ（Random Access Memory）３、メモリ制御部４、画像メモリ５、プリント画像処理回路６、ＬＥＤ（Light Emitting Diode）プリントヘッド７、プリンタ機構制御回路８、ＬＡＮ（Local Area Network）インタフェイス９、操作／表示制御部１０、スキャナ１１、コーデック１２、モデム１３、ＮＣＵ（Network Control Unit）１４、音声ガイダンス部３０などを備えている。
【００１７】
ＭＰＵ１は、バス３１を介して複合機の上述したようなハードウェア各部と接続されていて、それらを制御すると共に、ＲＯＭ２に格納された制御プログラムに従って、種々のソフトウェア的機能を実行する。ＲＯＭ２は、複合機の動作に必要な種々のソフトウェアの制御プログラムを格納する。ＲＡＭ３は、ソフトウェアの実行時に発生する一時的なデータを記憶する。また、ＲＡＭ３は、手差しトレイに設定されているシートのパラメータ（サイズ、種類）を記憶する手差しシートパラメータ記憶領域３ａを有する。具体的に、シートのサイズはＡ３、Ｂ４、Ａ４、Ｂ５などであり、シートの種類は普通紙、ＯＨＰシート、封筒、はがき、厚紙などである。
【００１８】
画像メモリ５は、ＤＲＡＭなどで構成され、メモリ制御部４の制御により、原稿を読み取って得られる画像データ、他のファクシミリ装置などの外部装置から受信した画像データなどを記憶する。ＬＥＤプリントヘッド７は、プリント画像処理回路６で処理された画像データに応じた画像を、給紙カセット（自動供給部）または手差しトレイ（手差し供給部）から供給されたシートに印刷する。プリンタ機構制御回路８は、ＬＥＤプリントヘッド７を含めたプリンタの動作を制御する。また、プリンタ機構制御回路８には、手差しトレイにおけるシートの有無（手差しトレイへのシートのセット状態）を検知する手差しトレイシートセンサ８ａの検知結果（出力）が入力される。
【００１９】
ＬＡＮインタフェイス９は、ＬＡＮを介して他の複合機、パーソナルコンピュータなどの外部装置に接続されており、外部装置との間でデータのやりとりを行う。操作／表示制御部１０は、少なくともカーソルキー１０ａを有するキー操作部１０ｂ、及びＬＣＤ（LIquid Crystal Display）パネル１０ｃのタッチスクリーン１０ｄにおけるユーザの操作入力を受け付けると共に、複合機の動作状態を示す画面、ユーザへ操作入力を促す画面、ユーザへ警告を発する画面などをＬＣＤパネル１０ｃに表示させる。
【００２０】
スキャナ１１は、例えばＣＣＤを利用した光学系で原稿を読み取り、読み取った画像データを出力する。コーデック１２は、画像データに対して所定の圧縮方式に従って圧縮／伸長を行う。モデム１３は、バス３１に接続されており、ファクシミリ通信が可能なファクシミリモデムから構成されている。また、モデム１３は、同様にバス３１に接続されたＮＣＵ１４と直接的に接続されている。ＮＣＵ１４は、公衆電話回線網（ＰＳＴＮ：Public Switched Telephone Network)との回線の閉結及び開放の動作を行うハードウェアであり、必要に応じてモデム１３をＰＳＴＮと接続する。
【００２１】
音声ガイダンス部３０は、サブＭＰＵ２１、ＲＯＭ２２、ＳＲＡＭ２３、音声デコーダ２４、ＡＦＥ（Analog Front End）２５、アナログ増幅器２６、スピーカ２７などを備えている。サブＭＰＵ２１は、シリアルバス３２を介してＭＰＵ１に接続されており、また、バス３３を介して音声ガイダンス部３０の上述したようなハードウェア各部と接続されている。ＲＯＭ２２は、音声ガイダンス用の制御プログラム及び音声ガイダンスメッセージを格納している。ＳＲＡＭ２３は、ソフトウェアの実行時に発生する一時的なデータを記憶する。
【００２２】
音声デコーダ２４は、ＲＯＭ２２から読み出された符号化されている音声ガイダンスメッセージを音声波形のデータに復号する。ＡＦＥ２５は、音声波形のデータをアナログ信号に変換してアナログ増幅器２６へ出力する。アナログ増幅器２６は、このアナログ信号を増幅してスピーカ２７へ出力する。
【００２３】
音声ガイダンスがなされる場合には、音声デコーダ２４で復号された必要な音声波形のデータが、ＡＦＥ２５を介してアナログ増幅器２６へ送られ、スピーカ２７から音声として出力されるようになっている。音声ガイダンスは、複合機に対する種々の処理操作を案内するものであり、本発明では、特に手差しトレイにセットされるシートのパラメータ（サイズ、種類）を設定するための操作についての音声ガイダンス機能を少なくとも有している。
【００２４】
以下、本発明の複合機の動作について説明する。まず、手差しトレイにおけるシートのパラメータが設定されていない状態（ＲＡＭ３（手差しシートパラメータ記憶領域３ａ）にパラメータが記憶されていない状態）で、手差しトレイにシートがセットされたときの動作について説明する。この状態は、例えば初めて手差しトレイを使用するときである。なお、以下の例では、シートのサイズが設定されておらず、シートの種類は初期パラメータとして普通紙が設定されていることとする。図３〜図６は、本発明の複合機における動作手順の一例を示すフローチャート、図７及び図８は、本発明の複合機における画面表示の一例を示す図である。
【００２５】
ＭＰＵ１は、図７（ａ）に示すようなコピーの条件を設定する待機画面がＬＣＤパネル１０ｃに表示されている際に、手差しトレイシートセンサ８ａの検知結果（出力）に基づき、手差しトレイにおいて「シートなし」から「シートあり」に変化したか否かを判断する（ステップＳ１）。変化していない場合には（Ｓ１：ＮＯ）、そのまま動作が終了する。
【００２６】
「シートなし」から「シートあり」に変化した場合（Ｓ１：ＹＥＳ）、ＭＰＵ１は、図７（ｂ）に示すような手差しシート設定画面をＬＣＤパネル１０ｃに表示し（ステップＳ２）、音声ガイダンス機能を実行して、「シートサイズを選択できます。選択する場合は「編集」を押して下さい。中止する場合は「閉じる」を押して下さい。」のガイドメッセージを音声出力する（ステップＳ３）。
【００２７】
ＭＰＵ１は、カーソルキー１０ａがユーザにより操作されたか否か判断する（ステップＳ４）。操作されない場合（Ｓ４：ＮＯ）、ＭＰＵ１は、タッチスクリーン１０ｄのソフトキーの何れかが押されたか否かを判断する（ステップＳ５）。ソフトキー「編集」が押された場合（Ｓ５：［編集］）、ＭＰＵ１は、図７（ｃ）に示すようなシートサイズ設定画面をＬＣＤパネル１０ｃに表示し（ステップＳ６）、音声ガイダンス機能を実行して、「シートサイズを選択し、「確定」を押して下さい。中止する場合は「取消し」を押して下さい。」のガイドメッセージを音声出力する（ステップＳ７）。
【００２８】
ＭＰＵ１は、カーソルキー１０ａによりユーザからシートサイズの選択を受け付け（ステップＳ８）、タッチスクリーン１０ｄのソフトキーの何れかが押されたか否かを判断する（ステップＳ９）。ソフトキー「取消し」が押された場合には（Ｓ９：［取消し］）、動作がＳ２に戻る。ソフトキー「確定」が押された場合（Ｓ９：［確定］）、ＭＰＵ１は、設定されたシートサイズをＲＡＭ３（手差しシートパラメータ記憶領域３ａ）に記憶する（ステップＳ１０）。
【００２９】
また、ＭＰＵ１は、サイズがＡ４に設定されたことを示す図７（ｄ）に示すような手差しシート設定画面をＬＣＤパネル１０ｃに表示し（ステップＳ１１）、音声ガイダンス機能を実行して、「Ａ４のシートが設定されました。終了する場合は「閉じる」を押して下さい。変更する場合は「編集」を押して下さい。」のガイドメッセージを音声出力する（ステップＳ１２）。
【００３０】
ＭＰＵ１は、タッチスクリーン１０ｄのソフトキーの何れかが押されたか否かを判断する（ステップＳ１３）。ソフトキー「編集」が押された場合には（Ｓ１３：［編集］）、動作がＳ６に戻る。ソフトキー「閉じる」が押された場合（Ｓ１３：［閉じる］）、ＭＰＵ１は、図７（ｅ）に示すようなシート選択画面をＬＣＤパネル１０ｃに表示して（ステップＳ１４）、動作が終了する。図７（ｅ）では、カーソルが「手差し：Ａ４」を指している。
【００３１】
カーソルキー１０ａが操作された場合（Ｓ４：ＹＥＳ）、ＭＰＵ１は、手差しシート設定画面におけるカーソルを、図８（ａ）に示すように、「シート種類」に移動させ（ステップＳ１５）、音声ガイダンス機能を実行して、「シート種類を変更できます。変更する場合は「編集」を押して下さい。中止する場合は「閉じる」を押して下さい。」のガイドメッセージを音声出力する（ステップＳ１６）。
【００３２】
ＭＰＵ１は、カーソルキー１０ａがユーザにより操作されたか否かを判断する（ステップＳ１７）。操作された場合（Ｓ１７：ＹＥＳ）、ＭＰＵ１は、手差しシート設定画面におけるカーソルを、図７（ｂ）に示すように、「シートサイズ」に移動させて（ステップＳ２８）、動作がＳ３に戻る。
【００３３】
カーソルキー１０ａが操作されない場合（Ｓ１７：ＮＯ）、ＭＰＵ１は、タッチスクリーン１０ｄのソフトキーの何れかが押されたか否かを判断する（ステップＳ１８）。ソフトキー「編集」が押された場合（Ｓ１８：［編集］）、ＭＰＵ１は、図８（ｂ）に示すようなシート種類設定画面をＬＣＤパネル１０ｃに表示し（ステップＳ１９）、音声ガイダンス機能を実行して、「シート種類を選択し、「確定」を押して下さい。中止する場合は「取消し」を押して下さい。」のガイドメッセージを音声出力する（ステップＳ２０）。      
【００３４】
ＭＰＵ１は、カーソルキー１０ａによりユーザからシート種類の選択を受け付け（ステップＳ２１）、タッチスクリーン１０ｄのソフトキーの何れかが押されたか否かを判断する（ステップＳ２２）。ソフトキー「取消し」が押された場合には（Ｓ２２：［取消し］）、動作がＳ２に戻る。ソフトキー「確定」が押された場合（Ｓ２２：［確定］）、ＭＰＵ１は、設定されたシート種類をＲＡＭ３（手差しシートパラメータ記憶領域３ａ）に記憶する（ステップＳ２３）。
【００３５】
また、ＭＰＵ１は、種類が普通紙に設定されたことを示す図８（ｃ）に示すような手差しシート設定画面をＬＣＤパネル１０ｃに表示し（ステップＳ２４）、音声ガイダンス機能を実行して、「普通紙のシートが設定されました。終了する場合は「閉じる」を押して下さい。変更する場合は「編集」を押して下さい。」のガイドメッセージを音声出力する（ステップＳ２５）。
【００３６】
ＭＰＵ１は、タッチスクリーン１０ｄのソフトキーの何れかが押されたか否かを判断する（ステップＳ２６）。ソフトキー「編集」が押された場合には（Ｓ２６：［編集］）、動作がＳ１９に戻る。ソフトキー「閉じる」が押された場合（Ｓ２６：［閉じる］）、ＭＰＵ１は、図８（ｄ）に示すようなシートサイズの設定を促すポップアップ画面をＬＣＤパネル１０ｃに表示して（ステップＳ２７）、動作がＳ２に戻る。
【００３７】
また、ソフトキー「閉じる」が押された場合（Ｓ５：［閉じる］、Ｓ１８：［閉じる］）、ＭＰＵ１は、図８（ｄ）に示すようなポップアップ画面をＬＣＤパネル１０ｃに表示して（Ｓ２７）、動作がＳ２に戻る。
【００３８】
本実施の形態では、手差しトレイが選択された場合、シートのサイズが設定されていないときにはシートエラーとなってプリント処理を行えないようになっている。そこで、図３〜図６に示したフローチャートでは、シートサイズの設定を促すポップアップ画面（図８（ｄ））を表示して、シートサイズの設定を必ず行うようなルーチンとなっており、シートサイズの設定し忘れを防止することができる。
【００３９】
次に、手差しトレイにおけるシートのパラメータが事前の履歴として既に設定されている状態（ＲＡＭ３（手差しシートパラメータ記憶領域３ａ）に前回のパラメータが記憶されている状態）で、シートのサイズ、種類を設定する場合の動作について説明する。この動作は、図７（ａ）に示したような待機画面に対して「シート」が選択された場合に行われる。図９〜図１２は、本発明の複合機における動作手順の一例を示すフローチャート、図１３及び図１４は、本発明の複合機における画面表示の一例を示す図である。
【００４０】
ＭＰＵ１は、図１３（ａ）に示すようなシート選択画面をＬＣＤパネル１０ｃに表示し（ステップＳ３１）、カーソルキー１０ａの操作入力により、手差しの選択を受け付ける（ステップＳ３２）。ＭＰＵ１は、タッチスクリーン１０ｄのソフトキーの何れかが押されたか否かを判断する（ステップＳ３３）。ソフトキー「閉じる」が押された場合には（Ｓ３３：［閉じる］）、動作がＳ３１に戻る。ソフトキー「確定」が押された場合（Ｓ３３：［確定］）、前回のパラメータと同じであるので、ＭＰＵ１は、図１３（ｅ）に示すようなシートのパラメータが設定された待機画面をＬＣＤパネル１０ｃに表示して（ステップＳ５９）、動作が終了する。
【００４１】
ソフトキー「手差し設定」が押された場合（Ｓ３３：［手差し設定］）、ＭＰＵ１は、図１３（ｂ）に示すような手差しシート設定画面をＬＣＤパネル１０ｃに表示し（ステップＳ３４）、音声ガイダンス機能を実行して、「シートサイズを変更できます。変更する場合は「編集」を押して下さい。終了する場合は「閉じる」を押して下さい。」のガイドメッセージを音声出力する（ステップＳ３５）。
【００４２】
ＭＰＵ１は、カーソルキー１０ａがユーザにより操作されたか否か判断する（ステップＳ３６）。操作されない場合（Ｓ３６：ＮＯ）、ＭＰＵ１は、タッチスクリーン１０ｄのソフトキーの何れかが押されたか否かを判断する（ステップＳ３７）。ソフトキー「閉じる」が押された場合（Ｓ３７：［閉じる］）、ＭＰＵ１は、図１３（ｅ）に示すような待機画面をＬＣＤパネル１０ｃに表示して（Ｓ５９）、動作が終了する。
【００４３】
ソフトキー「編集」が押された場合（Ｓ３７：［編集］）、ＭＰＵ１は、図１３（ｃ）に示すようなシートサイズ設定画面をＬＣＤパネル１０ｃに表示し（ステップＳ３８）、音声ガイダンス機能を実行して、「シートサイズを選択し、「確定」を押して下さい。中止する場合は「取消し」を押して下さい。」のガイドメッセージを音声出力する（ステップＳ３９）。
【００４４】
ＭＰＵ１は、カーソルキー１０ａによりユーザからシートサイズの選択を受け付け（ステップＳ４０）、タッチスクリーン１０ｄのソフトキーの何れかが押されたか否かを判断する（ステップＳ４１）。ソフトキー「取消し」が押された場合には（Ｓ４１：［取消し］）、動作がＳ３４に戻る。ソフトキー「確定」が押された場合（Ｓ４１：［確定］）、ＭＰＵ１は、設定されたシートサイズをＲＡＭ３（手差しシートパラメータ記憶領域３ａ）に記憶する（ステップＳ４２）。
【００４５】
また、ＭＰＵ１は、サイズがＡ４に設定されたことを示す図１３（ｄ）に示すような手差しシート設定画面をＬＣＤパネル１０ｃに表示し（ステップＳ４３）、音声ガイダンス機能を実行して、「Ａ４のシートが設定されました。終了する場合は「閉じる」を押して下さい。変更する場合は「編集」を押して下さい。」のガイドメッセージを音声出力する（ステップＳ４４）。
【００４６】
ＭＰＵ１は、タッチスクリーン１０ｄのソフトキーの何れかが押されたか否かを判断する（ステップＳ４５）。ソフトキー「編集」が押された場合には（Ｓ４５：［編集］）、動作がＳ３８に戻る。ソフトキー「閉じる」が押された場合（Ｓ４５：［閉じる］）、ＭＰＵ１は、図１３（ｅ）に示すようなシートのパラメータが設定された待機画面をＬＣＤパネル１０ｃに表示して（Ｓ５９）、動作が終了する。
【００４７】
カーソルキー１０ａが操作された場合（Ｓ３６：ＹＥＳ）、ＭＰＵ１は、手差しシート設定画面におけるカーソルを、図１４（ａ）に示すように、「シート種類」に移動させ（ステップＳ４６）、音声ガイダンス機能を実行して、「シート種類を変更できます。変更する場合は「編集」を押して下さい。終了する場合は「閉じる」を押して下さい。」のガイドメッセージを音声出力する（ステップＳ４７）。
【００４８】
ＭＰＵ１は、カーソルキー１０ａがユーザにより操作されたか否かを判断する（ステップＳ４８）。操作された場合（Ｓ４８：ＹＥＳ）、ＭＰＵ１は、手差しシート設定画面におけるカーソルを、図１３（ｂ）に示すように、「シートサイズ」に移動させて（ステップＳ５８）、動作がＳ３５に戻る。
【００４９】
カーソルキー１０ａが操作されない場合（Ｓ４８：ＮＯ）、ＭＰＵ１は、タッチスクリーン１０ｄのソフトキーの何れかが押されたか否かを判断する（ステップＳ４９）。ソフトキー「閉じる」が押された場合（Ｓ４９：［閉じる］）、ＭＰＵ１は、図１３（ｅ）に示すような待機画面をＬＣＤパネル１０ｃに表示して（Ｓ５９）、動作が終了する。
【００５０】
ソフトキー「編集」が押された場合（Ｓ４９：［編集］）、ＭＰＵ１は、図１４（ｂ）に示すようなシート種類設定画面をＬＣＤパネル１０ｃに表示し（ステップＳ５０）、音声ガイダンス機能を実行して、「シート種類を選択し、「確定」を押して下さい。中止する場合は「取消し」を押して下さい。」のガイドメッセージを音声出力する（ステップＳ５１）。
【００５１】
ＭＰＵ１は、カーソルキー１０ａによりユーザからシート種類の選択を受け付け（ステップＳ５２）、タッチスクリーン１０ｄのソフトキーの何れかが押されたか否かを判断する（ステップＳ５３）。ソフトキー「取消し」が押された場合には（Ｓ５３：［取消し］）、動作がＳ３４に戻る。ソフトキー「確定」が押された場合（Ｓ５３：［確定］）、ＭＰＵ１は、設定されたシート種類をＲＡＭ３（手差しシートパラメータ記憶領域３ａ）に記憶する（ステップＳ５４）。
【００５２】
また、ＭＰＵ１は、種類が普通紙に設定されたことを示す図１４（ｃ）に示すような手差しシート設定画面をＬＣＤパネル１０ｃに表示し（ステップＳ５５）、音声ガイダンス機能を実行して、「普通紙のシートが設定されました。終了する場合は「閉じる」を押して下さい。変更する場合は「編集」を押して下さい。」のガイドメッセージを音声出力する（ステップＳ５６）。
【００５３】
ＭＰＵ１は、タッチスクリーン１０ｄのソフトキーの何れかが押されたか否かを判断する（ステップＳ５７）。ソフトキー「編集」が押された場合には（Ｓ５７：［編集］）、動作がＳ５０に戻る。ソフトキー「閉じる」が押された場合（Ｓ５７：［閉じる］）、ＭＰＵ１は、図１３（ｅ）に示すようなシートのパラメータが設定された待機画面をＬＣＤパネル１０ｃに表示して（Ｓ５９）、動作が終了する。
【００５４】
以上のように、本発明の複合機では、手差しトレイにセットされたシートのパラメータ（サイズ、種類）を設定するための操作手順を音声出力手段（音声ガイダンス部３０）が音声ガイダンスするので、ユーザはこの音声ガイダンスにしたがってシートのパラメータを設定することができるため、不慣れなユーザにあっても、手間取ることなく迅速にシートのパラメータ設定を行える。また、入力操作を受け付ける操作キー（カーソルキー１０ａ、タッチスクリーン１０ｄに表示される各種のソフトキー）の入力に連動した操作情報を表示手段（ＬＣＤパネル１０ｃ）に表示するので、ユーザはその表示情報を参照しながら操作キーの操作により、シートのパラメータ（サイズ、種類など）を設定できるため、より容易にその設定処理を行える。また、手差しトレイにシートがセットされた場合に、確実に音声ガイダンスを出力するので、不慣れなユーザでも、迅速にシートのパラメータを設定することができる。
【００５５】
なお、シートパラメータ設定の操作手順を、上述したように音声出力するだけでなく、音声出力に併せてＬＣＤパネル１０ｃに表示するようにしても良い。
【００５６】
また、複合機を例として説明したが、これに限らず、コピー機、ファクシミリ装置、プリンタなどの他の画像形成装置についても本発明を同様に適用できることは勿論である。
【図面の簡単な説明】
【００５７】
【図１】本発明の複合機（画像形成装置）の構成を示すブロック図である。
【図２】音声ガイダンス部の構成を示すブロック図である。
【図３】本発明の複合機（画像形成装置）の動作手順を示すフローチャートである。
【図４】本発明の複合機（画像形成装置）の動作手順を示すフローチャートである。
【図５】本発明の複合機（画像形成装置）の動作手順を示すフローチャートである。
【図６】本発明の複合機（画像形成装置）の動作手順を示すフローチャートである。
【図７】本発明の複合機（画像形成装置）における画面表示の一例を示す図である。
【図８】本発明の複合機（画像形成装置）における画面表示の一例を示す図である。
【図９】本発明の複合機（画像形成装置）の動作手順を示すフローチャートである。
【図１０】本発明の複合機（画像形成装置）の動作手順を示すフローチャートである。
【図１１】本発明の複合機（画像形成装置）の動作手順を示すフローチャートである。
【図１２】本発明の複合機（画像形成装置）の動作手順を示すフローチャートである。
【図１３】本発明の複合機（画像形成装置）における画面表示の一例を示す図である。
【図１４】本発明の複合機（画像形成装置）における画面表示の一例を示す図である。
【符号の説明】
【００５８】
１  ＭＰＵ
２  ＲＯＭ
３  ＲＡＭ
３ａ  手差しシートパラメータ記憶領域
６  プリント画像処理回路
７  ＬＥＤプリントヘッド
８  プリンタ機構制御回路
８ａ  手差しトレイシートセンサ
１０  操作／表示制御部
１０ａ  カーソルキー
１０ｂ  キー操作部
１０ｃ  ＬＣＤパネル
１０ｄ  タッチスクリーン
２１  サブＭＰＵ
２２  ＲＯＭ
２３  ＳＲＡＭ
２４  音声デコーダ
２５  ＡＦＥ
２６  アナログ増幅器
２７  スピーカ
３０  音声ガイダンス部
【図１】
2007298865.tif 000003
【図２】
2007298865.tif 000004
【図３】
2007298865.tif 000005
【図４】
2007298865.tif 000006
【図５】
2007298865.tif 000007
【図６】
2007298865.tif 000008
【図７】
2007298865.tif 000009
【図８】
2007298865.tif 000010
【図９】
2007298865.tif 000011
【図１０】
2007298865.tif 000012
【図１１】
2007298865.tif 000013
【図１２】
2007298865.tif 000014
【図１３】
2007298865.tif 000015
【図１４】
2007298865.tif 000016